(57)【要約】【課題】隣接する基地局間で同一無線チャネルの割当を回避し、無線チャネルの切り替えに伴う無線チャネルの使用効率の悪化及び通信品質の劣化を防ぐ。【解決手段】移動通信システムにおいて、基地局制御装置１０−１〜１０−４は、ＩＰネットワークを介して接続され、相互に制御情報や音声・データをやり取りする移動通信ネットワークを形成する。通信接続開設時には、移動端末ＰＳ１は、他の移動端末と通信するためリンクチャネル確立要求を発行する。基地局ＣＳ１は、リンクチャネル確立要求を受け取り、無線チャネル割当要求を基地局制御装置１０−１に出力する。基地局制御装置１０−１は、無線チャネル割当要求を受けると、基地局ＣＳ１で使用される無線チャネルを割り当て、無線チャネル割当応答を基地局ＣＳ１に出力する。無線チャネル割当応答を受け取った基地局ＣＳ１は、移動端末ＰＳ１にリンクチャネル割当応答を返し、移動端末ＰＳ１との無線通信で使用される無線チャネルを確立する。【選択図】      図１
2009177410.tif 000002
【特許請求の範囲】
【請求項１】
無線通信の接続要求を送出する移動端末と、
前記接続要求を受け取ると、無線通信を行うためのチャネル割当要求を出力し、割当チャネルを使用して前記移動端末との無線通信を行う複数の基地局と、
前記チャネル割当要求を受け取ると、要求元の基地局に対し、隣接する基地局において未使用のチャネルを割り当てる基地局制御装置と
を具備することを特徴とする移動通信システム。
【請求項２】
前記基地局制御装置は、
前記複数の基地局の位置関係と各基地局に割り当てられているチャネル使用状況を示す基地局情報を管理する基地局情報管理手段と、
前記チャネル割当要求を受け取ると、前記基地局情報を参照して、前記チャネル割当要求元の基地局に隣接する基地局とその基地局に割り当てられているチャネルを判別し、前記隣接する基地局において未使用のチャネルを特定して前記要求元の基地局に割り当てる割当制御手段と
を備えることを特徴とする請求項１記載の移動通信システム。
【請求項３】
前記移動端末は、無線通信を終了する際、無線通信状態にある前記基地局に切断を通知し、
前記基地局は、前記切断の通知を受け取ると、前記割当チャネルの切断要求を前記基地局制御装置に出力し、
前記割当制御手段は、前記切断要求を受け取ると、前記基地局情報について切断要求のあったチャネルを未使用に更新し、前記切断要求元の基地局に切断応答を出力することを特徴とする請求項２記載の移動通信システム。
【請求項４】
前記基地局と前記基地局制御装置との間でやり取りされる信号は、ＩＰ（Internet Protocol）パケットの形式であることを特徴とする請求項１記載の移動通信システム。
【請求項５】
前記無線通信がＰＨＳ（Personal Handyphone System）方式であるとき、
前記複数の基地局は、前記基地局制御装置からチャネル割当情報を受け取り、当該情報で指定される周波数のうちの１フレームにおけるタイムスロットを通信チャネルとして前記ＰＨＳによる移動端末と接続することを特徴とする請求項４記載の移動通信システム。
【請求項６】
無線通信の接続要求を送出する移動端末と、前記接続要求を受け取ると、無線通信を行うためのチャネル割当要求を出力し、割当チャネルを使用して前記移動端末との無線通信を行う複数の基地局とを具備する移動体通信システムに用いられる基地局制御装置であって、
前記複数の基地局の位置関係と各基地局に割り当てられているチャネル使用状況を示す基地局情報を管理する基地局情報管理手段と、
前記チャネル割当要求を受け取ると、前記基地局情報を参照して、前記チャネル割当要求元の基地局に隣接する基地局とその基地局に割り当てられているチャネルを判別し、前記隣接する基地局において未使用のチャネルを特定して前記要求元の基地局に割り当てる割当制御手段と
を具備することを特徴とする基地局制御装置。
【請求項７】
前記移動端末が、無線通信状態にある前記基地局に切断を通知し、前記基地局が、前記切断の通知を受け取り、前記割当チャネルの切断要求を前記基地局制御装置に出力する場合、
前記割当制御手段は、前記切断要求を受け取ると、前記基地局情報について切断要求のあったチャネルを未使用に更新し、前記切断要求元の基地局に切断応答を出力することを特徴とする請求項６記載の基地局制御装置。
【請求項８】
前記基地局との間でやり取りされる信号は、ＩＰ（Internet Protocol）パケットの形式であることを特徴とする請求項６記載の基地局制御装置。
【請求項９】
移動端末から送出された無線通信の接続要求を受け取ると無線通信を行うためのチャネル割当要求を基地局制御装置に出力し、当該基地局制御装置により隣接する基地局において未使用のチャネルを割り当てられ、当該割当チャネルを使用して前記移動端末との無線通信を行うことを特徴とする基地局。
【請求項１０】
無線通信状態にある前記移動端末からの当該無線通信の切断を通知された場合、前記割当チャネルの切断要求を前記基地局制御装置に出力し、当該切断要求に対する切断応答を前記基地局制御装置から受け取ると前記通信状態の解放を前記移動端末に通知することを特徴とする請求項９記載の基地局。
【請求項１１】
前記基地局制御装置との間でやり取りされる信号は、ＩＰ（Internet Protocol）パケットの形式であることを特徴とする請求項９記載の基地局。
【請求項１２】
前記無線通信がＰＨＳ（Personal Handyphone System）方式であるとき、
前記基地局制御装置からチャネル割当情報を受け取り、当該情報で指定される周波数のうちの１フレームにおけるタイムスロットを通信チャネルとして前記ＰＨＳによる移動端末と接続することを特徴とする請求項９記載の基地局。
【請求項１３】
移動端末が無線通信の接続要求を送出し、基地局が前記接続要求を受け取った場合、
前記基地局から、無線通信を行うためのチャネル割当要求を基地局制御装置に出力し、
前記チャネル割当要求を受け取った前記基地局制御装置により、要求元の基地局に対し、隣接する基地局において未使用のチャネルを割り当てることを特徴とする通信接続方法。
【発明の詳細な説明】
【技術分野】
【０００１】
本発明は、接続要求を送出した移動端末の通信接続を行う移動通信システム及び、これに使用される基地局制御装置、基地局、通信接続方法に関する。
【背景技術】
【０００２】
一般に、移動通信システムは、通信接続の接続要求を送出する移動端末と、この移動端末との間で通信接続を形成する複数の基地局を備える。従来の基地局は、無線チャネル割当部を備えており、移動端末からの接続要求を受けると、任意に無線チャネルを割り当て、移動端末との通信接続を形成する。
【０００３】
ところで、従来の移動通信システムでは、互いに隣接する基地局それぞれに、各基地局に属する移動端末からの接続要求が送出された場合、隣接する基地局同士で各移動端末との通信に同一の無線チャネルを割り当ててしまう場合があった。この場合、一方の基地局の電波が、他方の基地局と通信している移動端末に干渉してしまうおそれがあるため、一方の基地局が無線チャネルを切り替えることにより、この干渉を解消していた（例えば、特許文献１参照）。しかしながら、このような事象が複数個所で発生すると、その都度無線チャネルを切り替える必要があり、無線チャネルの使用効率の悪化や、通信品質の劣化の要因になっていた。
【特許文献１】特開２０００−１０２０６２号公報
【発明の開示】
【発明が解決しようとする課題】
【０００４】
以上のように、従来の移動通信システムでは、隣接した基地局で同一の無線チャネルが使用されてしまうことがあり、干渉抑制のため、通信中の無線チャネルの切り替えが余儀なくされ、無線チャネルの使用効率の悪化及び通信品質の劣化が生じていた。
【０００５】
本発明は上記事情によりなされたもので、その目的は、隣接する基地局間で同一の無線チャネルの使用を回避し、無線チャネルの切り替えに伴う無線チャネルの使用効率の悪化及び通信品質の劣化を防ぐことが可能な移動通信システム、基地局制御装置、基地局及び、通信接続方法を提供することにある。
【課題を解決するための手段】
【０００６】
上記目的を達成するため、本発明に係る移動通信システムは、無線通信の接続要求を送出する移動端末と、前記接続要求を受け取ると、無線通信を行うためのチャネル割当要求を出力し、割当チャネルを使用して前記移動端末との無線通信を行う複数の基地局と、前記チャネル割当要求を受け取ると、要求元の基地局に対し、隣接する基地局において未使用のチャネルを割り当てる基地局制御装置とを具備する。
【０００７】
また、本発明に係る基地局制御装置は、無線通信の接続要求を送出する移動端末と、前記接続要求を受け取ると、無線通信を行うためのチャネル割当要求を出力し、割当チャネルを使用して前記移動端末との無線通信を行う複数の基地局とを具備する移動体通信システムに用いられる基地局制御装置であって、前記複数の基地局の位置関係と各基地局に割り当てられているチャネル使用状況を示す基地局情報を管理する基地局情報管理手段と、前記チャネル割当要求を受け取ると、前記基地局情報を参照して、前記チャネル割当要求元の基地局に隣接する基地局とその基地局に割り当てられているチャネルを判別し、前記隣接する基地局において未使用のチャネルを特定して前記要求元の基地局に割り当てる割当制御手段とを具備する。
【０００８】
また、本発明に係る基地局は、移動端末から送出された無線通信の接続要求を受け取ると無線通信を行うためのチャネル割当要求を基地局制御装置に出力し、当該基地局制御装置により隣接する基地局において未使用のチャネルを割り当てられ、当該割当チャネルを使用して前記移動端末との無線通信を行う。
【０００９】
また、本発明に係る通信接続方法は、移動端末が無線通信の接続要求を送出し、基地局が前記接続要求を受け取った場合、前記基地局から、無線通信を行うためのチャネル割当要求を基地局制御装置に出力し、前記チャネル割当要求を受け取った前記基地局制御装置により、要求元の基地局に対し、隣接する基地局において未使用のチャネルを割り当てる。
【００１０】
上記構成による移動通信システム、基地局制御装置、基地局及び、通信接続方法では、移動端末から接続要求を受け取った基地局が、チャネル割当要求を基地局制御装置に送出する。そして、チャネル割当要求を受け取った基地局制御装置が、その基地局に隣接する基地局において未使用のチャネルを、移動端末と基地局との間の通信で使用するチャネルとして割り当てるようにしている。
【発明の効果】
【００１１】
以上のように、本発明によれば、隣接する基地局間で無線チャネルの重複利用を回避し、無線チャネルの切り替えに伴う無線チャネルの使用効率の悪化及び通信品質の劣化を防ぐことが可能な移動通信システム、基地局制御装置、基地局及び、通信接続方法を提供することができる。
【発明を実施するための最良の形態】
【００１２】
以下、図面を参照しながら本発明の実施の形態について詳細に説明する。
【００１３】
図１は、本発明の一実施形態に係る移動通信システムの概略構成を示すブロック図である。図１に示す移動通信システムにおいて、基地局制御装置１０−１〜１０−４は、ＩＰ（Internet Protocol）ネットワークを介して接続され、相互に制御情報や音声・データをやり取りする移動通信ネットワークを形成する。基地局制御装置１０−１は、ＰＨＳ等の移動端末（ＰＳ：Personal Station）ＰＳ１〜ＰＳ３と、基地局（ＣＳ：Cell Station）ＣＳ１〜ＣＳ３を収容する。本実施形態では、基地局制御装置１０−１と基地局ＣＳ１〜ＣＳ３とは、ＩＰ回線、電話回線及び光回線等によって接続されている。また、本実施形態では、移動通信ネットワークを介して基地局制御装置１０−１に伝送される信号及び、基地局制御装置１０−１と基地局ＣＳ１〜ＣＳ３との間で送受信される信号は、ＩＰパケットの形式を採っている。
【００１４】
図１において、移動端末ＰＳ１は、通信接続開設時に、基地局ＣＳ１に対してリンクチャネル確立要求を発行する。基地局ＣＳ１は、リンクチャネル確立要求を受け取ると、無線チャネル割当要求を基地局制御装置１０−１に出力する。基地局制御装置１０−１は、無線チャネル割当要求を受けると、基地局ＣＳ１に任意の無線チャネルを割り当て、その無線チャネル割当応答を要求元の基地局ＣＳ１に出力する。無線チャネル割当応答を受け取った基地局ＣＳ１は、要求元の移動端末ＰＳ１にリンクチャネル割当応答を返す。
【００１５】
ここで、無線チャネルとは移動端末と基地局との間で無線通信する際に用いられるものであり、本実施形態では、周波数及びその周波数におけるタイムスロットにより決定される。
【００１６】
また、無線通信切断時には、移動端末ＰＳ１は、基地局ＣＳ１に切断指示を発行する。切断指示を受けた基地局ＣＳ１は、無線チャネル切断要求を基地局制御装置１０−１に出力する。基地局制御装置１０−１は、無線チャネル切断要求を受けると、基地局ＣＳ１に割り当てた無線チャネルを未使用にし、基地局ＣＳ１に無線チャネル切断応答を返す。基地局ＣＳ１は、無線チャネル切断応答を受けると、解放を移動端末ＰＳ１に通知する。
【００１７】
図２は、本発明の一実施形態に係る基地局ＣＳ１の概略構成を示すブロック図である。移動端末ＰＳ１は、無線通信接続要求時に、ＦＥＣ（Forward Error Correction）フレーム等の無線フレームによるリンクチャネル確立要求を送出する。図２において、基地局ＣＳ１は、このリンクチャネル確立要求を無線部２１で受信し、アダプタ２２でパケットに変換した後、通信インターフェース（Ｉ／Ｆ）部２３でＩＰパケットにエンカプセル化して基地局制御装置１０−１へ送信する。
【００１８】
基地局ＣＳ１は、基地局制御装置１０−１からＩＰパケット形式の無線チャネル割当応答を受け取った場合には、受け取った無線チャネル割当応答を通信Ｉ／Ｆ部２３でデカプセル化し、アダプタ２２で無線フレームに変換した後、リンクチャネル割当応答として無線部２１から移動端末ＰＳ１へ出力する。このとき、割り当てられた無線チャネルの情報は、通信Ｉ／Ｆ部２３からチャネル通知部２４にも入力される。このチャネル通知部２４は、受け取ったチャネル割当情報から移動端末ＰＣ１との無線通信に割り当てられた周波数及びタイムスロットを判別し、アダプタ２２に割当タイムスロットを通知し、無線部２１に割当周波数を通知する。
【００１９】
上記基地局ＣＳ１において、通信Ｉ／Ｆ部２３は、移動端末ＰＳ１との通信状態で、基地局制御装置１０−１から音声・データを受信すると、この音声・データをＲＴＰ（Real-time Transport Protocol）パケットにデカプセル化してアダプタ２２に送る。このアダプタ２２は、上記ＲＴＰパケットを受け取ると、このパケットを無線フレームに乗せ、チャネル通知部２４から通知された割当タイムスロットに挿入して無線部２１に出力する。無線部２１は、アダプタ２２からの無線フレーム信号をチャネル通知部２４から通知された周波数によって移動端末ＰＳ１へ送出する。
【００２０】
また、基地局ＣＳ１は、移動端末ＰＳ１から割当周波数、タイムスロットで伝送される音声・データを無線部２１で受け取り、アダプタ２２で無線フレームから音声・データのＲＴＰパケットを取り出した後、通信Ｉ／Ｆ部２３でＩＰパケットにエンカプセル化して基地局制御装置１０−１へ送信する。
【００２１】
また、基地局ＣＳ１は、基地局管理部２５を備える。この基地局管理部２５は、基地局ＣＳ１の構成要素における異常を監視し、異常が発生したことを検知すると、基地局制御装置１０−１へ異常発生を通知する。
【００２２】
図３は、本発明の一実施形態に係る基地局制御装置１０−１の概略構成を示すブロック図である。また、図４は、基地局制御装置１０−１の機能構成を示すブロック図である。
【００２３】
基地局制御装置１０−１は、基地局Ｉ／Ｆ部３１を介して基地局ＣＳ１と接続されており、基地局Ｉ／Ｆ部３１で基地局ＣＳ１からの無線チャネル割当要求を受け取ると、この無線チャネル割当要求をパケットスイッチ部３２によって複数系統に選択的に導出する。具体的には、パケットスイッチ部３２は、入力されるＩＰパケットのヘッダ内容からその信号のレイヤーを判別し、判別したレイヤーに基づいて、信号の出力先を主制御部３３又はネットワークＩ／Ｆ部３４に選択的に切り替える。
【００２４】
上記主制御部３３は、図４に示す無線チャネル割当制御機能４１を備え、パケットスイッチ部３２から導出される無線チャネル割当要求を受け取ると、後述のメモリ３５に記録されている隣接基地局情報を参照し、基地局ＣＳ１に割り当てるべき無線チャネルを決定する。
【００２５】
上記メモリ３５は、図４に示す隣接基地局情報管理機能４２を備えており、隣接基地局情報を管理している。本実施形態において、隣接基地局情報とは、基地局ＣＳ１〜ＣＳ３の位置関係及び基地局ＣＳ１〜ＣＳ３に割り当てられている無線チャネルの使用状況を含む。上記基地局ＣＳ１〜ＣＳ３の位置関係は、移動端末ＰＳ１〜ＰＳ３のハンドオーバー履歴や、オペレーターからの指示等により情報テーブルとして予め上記メモリ３５に記録されている。また、無線チャネルの使用状況も情報テーブルとして上記メモリ３５に記録されている。これらの情報テーブルは、基地局制御装置１０−１が、基地局ＣＳ１〜ＣＳ３に無線チャネルを割り当てる度及び、無線通信状態の無線チャネルを切断する度に更新される。
【００２６】
上記主制御部３３は、メモリ３５に記録される基地局ＣＳ１〜ＣＳ３の位置関係から基地局ＣＳ１に隣接する基地局を判別し、この隣接基地局における無線チャネル使用状況から未使用の無線チャネルを検索して、任意の未使用チャネルを選択的に割り当てる。
【００２７】
また、主制御部３３は、基地局Ｉ／Ｆ部３１に基地局ＣＳ１〜ＣＳ３に対する信号の送受信を実行させる基地局Ｉ／Ｆ制御機能４３と、ネットワークＩ／Ｆ部３４に移動通信ネットワークを介して信号の送受信を実行させるネットワークＩ／Ｆ制御機能４４とを備え、移動通信ネットワークとの通信状態で、ネットワークＩ／Ｆ部３４により音声・データを送受信し、基地局Ｉ／Ｆ部３１により基地局ＣＳ１に対する信号の送受信を行う。
【００２８】
また、主制御部３３は、図４に示す呼制御機能４５を備えている。この呼制御機能４５は、無線チャネルの割り当てを行って移動端末ＰＳ１と基地局ＣＳ１との間の通信回線の確立した後、移動端末ＰＳ１による通信相手の指定により他の移動端末への呼制御を行う。
【００２９】
尚、主制御部３３は、基地局ＣＳ１から異常発生の通知を受けた場合、当該基地局ＣＳ１への無線チャネルの割り当てを行わないものとする。
【００３０】
図５は、本発明の一実施形態に係る移動通信システムの無線チャネル割当／解放手順を示すシーケンス図である。
【００３１】
まず、移動端末ＰＳ１は基地局ＣＳ１に、リンクチャネル確立要求を発行する。これを受けた基地局ＣＳ１は、基地局制御装置１０−１に対して無線チャネル割当要求を発行する。無線チャネル割当要求を受信した基地局制御装置１０−１は、メモリ３５に予め作成してある隣接基地局情報を参照して無線チャネルの空き状態を検索し、未使用の無線チャネルを割り当てると共に、基地局ＣＳ１に無線チャネル割当応答を返す。このとき、基地局制御装置１０−１は、割り当てた無線チャネルをメモリ３５の情報テーブルに「使用中」と登録する。無線チャネル割当応答を受信した基地局ＣＳ１は移動端末ＰＳ１にリンクチャネル割当応答を送出する。これ以降、従来のシーケンスを経ることにより、移動端末間の通信接続が可能となる。
【００３２】
無線チャネルの解放は移動端末ＰＳ１の切断の発行から始まる。基地局ＣＳ１は、切断の要求を受信すると、基地局制御装置１０−１に無線チャネル切断要求を発行する。基地局制御装置１０−１は、無線チャネル切断要求を受信すると、メモリ３５について接続要求のあった無線チャネルを未使用状態に更新し、基地局ＣＳ１に無線チャネル切断応答を返す。基地局ＣＳ１は、無線チャネル切断応答を受けると、移動端末ＰＳ１に解放を発行する。移動端末ＰＳ１は、これを受けて解放完了を基地局ＣＳ１に返し、さらに基地局ＣＳ１が基地局制御装置１０−１に解放完了を伝達する。その後、従来のシーケンスを経て、基地局制御装置１０−１は無線チャネル切断指示を送出し、基地局ＣＳ１がこれを受けて移動端末ＰＳ１に無線チャネル切断を発行する。移動端末ＰＳ１は、無線チャネル切断を受けると、無線チャネル切断完了を発行する。無線チャネル切断完了は、基地局ＣＳ１を経由して基地局制御ユニットに伝達され、解放シーケンスが完了する。
【００３３】
図６は、本発明の一実施形態に係る移動通信システムにおいて２台の移動端末からリンクチャネル確立要求が送出される際の概略構成を示すブロック図である。また、図７は、図６の際の無線チャネル割当／解放手順を示すシーケンス図である。
【００３４】
ここで、基地局ＣＳ１，ＣＳ２が互いに隣接しており、基地局ＣＳ１に移動端末ＰＳ１からのリンクチャネル確立要求が送出され、基地局ＣＳ２に移動端末ＰＳ２からのリンクチャネル確立要求が送出された場合を想定する。
【００３５】
移動端末ＰＳ２は、図５と同様のシーケンスを辿り、チャネルＡを使用して通信が可能な状態となる。ここで、移動端末ＰＳ１がリンクチャネル確立要求を発行すると、それを受け取った基地局ＣＳ１は、無線チャネル割当要求を基地局制御装置１０−１に発行する。基地局制御装置１０−１は、無線チャネルを検索するが、チャネルＡは隣接する基地局ＣＳ２に既に割当てられているので、空いているチャネルＢを割り当てることを決定し、基地局ＣＳ１に割当無線チャネル情報を送出する。割当無線チャネル情報を受け取った基地局ＣＳ１は、移動端末ＰＳ１にリンクチャネル割当を返す。
【００３６】
以上のように、上記一実施形態では、基地局ＣＳ１が移動端末からのリンクチャネル確立要求を受けると、基地局制御装置１０−１へ無線チャネル割当要求を送出する。無線チャネル割当要求を受け取った基地局制御装置１０−１は、基地局ＣＳ１の隣接基地局において未使用の無線チャネルを基地局ＣＳ１の無線チャネルとして割り当て、基地局ＣＳ１に送出するようにしている。これにより、基地局毎に独立して無線チャネルを割り当てることがなくなり、隣接した基地局間で同一の無線チャネルを使用することが回避される。つまり、全基地局における無線チャネルを重複なく割り当てることができるので、無線チャネルの切り替えを防ぐことが可能となる。
【００３７】
したがって、本実施形態に係る移動通信システムでは、無線チャネルの切り替えに伴う無線チャネルの使用効率の悪化及び通信品質の劣化を防ぐことができる。
【００３８】
なお、本発明は上記実施形態に限定されるものではない。例えば、上記実施形態では、隣接基地局情報について、基地局の位置情報及び基地局における無線チャネルの使用状況を含むものとして説明したが、隣接基地局情報は当然これらに限定されるものではない。
【００３９】
また、本実施形態では、移動端末がＰＨＳである例について説明しているが、携帯電話である場合であっても同様に実施可能である。
【００４０】
また、本実施形態において、基地局と基地局制御装置との間における信号の送受信にはＩＰパケットが用いられるものとして説明したが、本発明はこのＩＰパケットのプロトコルに制限される訳ではない。
【００４１】
さらに、本発明は、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。
【図面の簡単な説明】
【００４２】
【図１】本発明に係る移動通信システムの一実施形態の構成を示すブロック図。
【図２】上記一実施形態の基地局の概略構成を示すブロック図。
【図３】上記一実施形態の基地局制御装置の概略構成を示すブロック図。
【図４】上記一実施形態の基地局制御装置の機能構成を示すブロック図。
【図５】上記一実施形態の移動通信システムの無線チャネル割当／解放手順を示すシーケンス図。
【図６】上記一実施形態の移動通信システムにおいて２台の移動端末からリンクチャネル確立要求が送出される際の概略構成を示すブロック図。
【図７】図６の際の無線チャネル割当／解放手順を示すシーケンス図。
【符号の説明】
【００４３】
１０−１〜１０−４…基地局制御装置、２１…無線部、２２…アダプタ、２３…通信Ｉ／Ｆ部、２４…チャネル通知部、２５…基地局管理部、３１…基地局Ｉ／Ｆ部、３２…パケットスイッチ部、３３…主制御部、３４…ネットワークＩ／Ｆ部、３５…メモリ、４１…無線チャネル割当制御機能、４２…隣接基地局情報管理機能、４３…基地局Ｉ／Ｆ制御機能、４４…ネットワークＩ／Ｆ制御機能、４５…呼制御機能、ＰＳ１〜ＰＳ３…移動端末、ＣＳ１〜ＣＳ３…基地局、Ａ，Ｂ…無線チャネル。
【図１】
2009177410.tif 000003
【図２】
2009177410.tif 000004
【図３】
2009177410.tif 000005
【図４】
2009177410.tif 000006
【図５】
2009177410.tif 000007
【図６】
2009177410.tif 000008
【図７】
2009177410.tif 000009